(57)【特許請求の範囲】
【請求項１】
軟性ゴム材料で製造されるホース（１００）の長さ方向に沿って、間隔をおいて形成された噴出口（１０２）に形成され、前記ホース（１００）の内部空間（１０４）から外部空間（１０６）に噴出される水流に回転力を付与する回転発生手段（２００）を含み、
前記回転発生手段（２００）は、前記噴出口（１０２）につながり、前記ホース（１００）の内側に形成された筒状の回転空間（２１２）を含み、
前記回転空間（２１２）は、前記ホース（１００）の内壁から延長形成され、前記ホース（１００）の内部空間（１０４）から前記回転空間（２１２）に連結された水平方向の通路である回転力付与路（２１４）が形成された側部（２１０）、及び、前記側部（２１０）の下端を閉鎖するための底部（２４０）によって定義され、前記回転力付与路（２１４）は、前記回転空間（２１２）の中心部Ｐから離れた地点に向かうように配向され、前記回転力付与路（２１４）を通じて前記回転空間（２１２）に流入する水流に回転力を付与し、
一つの帯に複数の回転発生手段（２００）が一列で形成され、それぞれの回転発生手段（２００）の側部（２１０）の上面が前記ホース（１００）の内面に付着して形成され、
１つの回転空間（２１２）に対して２つの回転力付与路（２１４）が連結され、
前記回転力付与路（２１４）は、一定の長さを有するように前記帯の長さ方向に形成され、２つの回転力付与路（２１４）は対応する回転空間（２１２）の中心に対して点対称に形成され、
前記回転力付与路（２１４）は、前記回転空間（２１２）と同じ高さとなるように形成されることを特徴とする植物栽培用回転噴出式分水ホース。
【請求項２】
前記回転力付与路（２１４）に流入する水の水圧を調節するための一つ以上の屈曲経路を有する減圧部（２５０）をさらに含むことを特徴とする請求項１に記載の植物栽培用回転噴出式分水ホース。
【請求項３】
前記帯において、複数の回転発生手段（２００）のそれぞれの間は、ろ過部（２２０）によって接続されており、
前記ろ過部（２２０）は、
一定のパターンで形成されるろ過突起（２２７）と、
前記ろ過突起（２２７）によって形成される、前記内部空間（１０４）から前記帯に流入する水をろ過するためのろ過孔（２２２）と、
を含むことを特徴とする請求項１または２に記載の植物栽培用回転噴出式分水ホース。
【発明の詳細な説明】
【技術分野】
【０００１】
本発明は、植物または植物栽培用土壌に水を供給するための噴水ホースに関し、特に、ホースの内部空間を通じて流入した水に回転力を付与して、排出口を通じて排出される時にさらに広い領域に分散させるための回転発生手段を含む植物栽培用回転噴出式分水ホースに関する。
【背景技術】
【０００２】
植物栽培用灌水ホースとして、点滴ホースと噴水ホースがあるが、点滴ホースは、少量の水を持続的に点滴して噴出させるホースであり、噴水ホースは、噴出口直径を約０．３ｍｍ〜１ｍｍ程度で構成して、噴出口を通じて霧や小雨のように水を噴出させるホースである。植物の種類や栽培形態によって、点滴ホース又は噴水ホースを選択的に使用することができる。植物を植栽している土壌を持続的に濡らすための点滴ホースは、一般的に、ろ過装置及び減圧装置を含み、噴出口を通じた水の噴出速度を顕著に下げて、噴出口に水滴がついて口径が大きくなれば落ちる形態で水を噴出させる。これに対し、図１１に示す噴水ホースは、一般的に観葉植物のように葉の大きい植物の広い葉に水を均等に噴霧するか、土壌の広い領域を一度で均等に濡らすために使用される。
【０００３】
一方、前記噴水ホースの代わりに、スプリングクーラー装置を利用して広い領域を灌水することもできるが、これは、実際に回転の動きを有する回転装置を含むため、ホースの噴出口毎にこれを設置することは、現実的に不経済的であり、また、噴出される水流が強くて土壌が凹むようになり、植物の葉に損傷を与えることがある。
【０００４】
図１１に示す従来の分水ホースによると、噴出口を通じてホース内部の水が外部に直線的に噴出して地面に落下する。ホースの噴出口から噴出された水が落下して地面に到着するまで水流の分散効果が非常に低いため、広い空間に分布している植物に均等に水を撒くためには、噴出口の個数を増加させるか、噴出口の直径を狭く構成しなければならない。
【０００５】
しかし、噴出口の個数が増加する場合、一定の長さを有するホースから水が噴出口を通過する水圧が、噴出口に沿って水が進行する方向にいくほど弱くならざるを得ない。従って、ホースの全長に対応して植物に水の供給が均等にできないという問題があった。また、噴出口の直径を狭く構成して、全体のホースに対する水圧を維持させる場合は、噴出された水が植物に到達する距離が短く、水流の直径が小さくて、単位ホースの長さに対する水の噴射面積が小さいため、植物の全体領域を濡らせないか、又は狭い直径の噴出口が異物により塞がり易いという問題があった。
【発明の概要】
【発明が解決しようとする課題】
【０００６】
そこで、本発明者は、分水ホースにおいて、噴出口の個数を増加させることなく、かつ噴出口の直径も縮めることなく、広い範囲に水を均等に噴射することができる新しい構造の分水ホースを提供しようとする。
【０００７】
本発明の目的は、ホースの噴出口から噴出される水流に回転力を付与して、水が十分に分散しながら噴出されるようにして、植物が植栽された地面の広い領域を覆い、植物に均等に水を供給することができる植物栽培用回転噴出式分水ホースを提供することにある。
【０００８】
本発明の他の目的は、噴出口毎にホースの内面に付着する一つのチップ状で構成された回転発生手段を含む植物栽培用回転噴出式分水ホースを提供することにある。
【０００９】
本発明のまた他の目的は、一つの帯に複数の回転発生手段が一列で形成された帯状回転発生部を含み、回転発生手段の側部の上面がホースの内面に付着形成された植物栽培用回転噴出式分水ホースを提供することにある。
【００１０】
本発明のさらに他の目的は、ホース本体の長さ方向に沿って突出形成され、上部リブ及び回転発生手段を含む突出リブが形成された植物栽培用回転噴出式分水ホースを提供することにある。
【００１１】
その他に、本発明の他の目的は、添付の図面を参照して説明される本発明の詳細な説明により全て達成されることができる。
【課題を解決するための手段】
【００１２】
このような目的を達成するために、本発明の植物栽培用回転噴出式分水ホースは、ホース１００の長さ方向に沿って間隔をおいて形成された噴出口１０２に形成され、前記ホース１００の内部空間１０４から外部空間１０６に噴出される水流に回転力を付与する回転発生手段２００を含み、前記回転発生手段２００は、前記噴出口１０２につながり、前記ホース１００の内側に形成された筒状の回転空間２１２を含み、前記回転空間２１２は、前記ホース１００の内壁から延長形成され、前記ホース１００の内部空間１０４から前記回転空間２１２に連結された水平方向の通路である回転力付与路２１４が形成された側部２１０、及び、前記側部２１０の下端を閉鎖するための底部２４０によって定義され、前記回転力付与路２１４は、前記回転空間２１２の中心部Ｐから離れた地点に向かうように配向され、前記回転力付与路２１４を通じて前記回転空間２１２に流入する水流に回転力を付与する。
【００１３】
前記回転発生手段２００は、前記内部空間１０４から前記回転力付与路２１４に流入する水をろ過するためのろ過孔２２２が形成されたろ過部２２０をさらに含むことができる。
【００１４】
前記回転発生手段２００は、前記回転空間２１２の中心部に対応する前記底部２４０に上昇力強化突起２３０がさらに形成され、前記回転空間２１２で回転しながら前記噴出口１０２に上昇する水の上昇力をさらに強化させることができる。
【００１５】
また、本発明の一つの様態として、植物栽培用回転噴出式分水ホースにおいて、前記回転発生手段２００は、一つのチップ状で形成され、前記噴出口１０２毎に前記ホース１００の内面に付着することができる。
【００１６】
この時、前記回転力付与路２１４は、前記回転空間２１２の中心部に対して２つ以上が一定の間隔をおいて互いに同一の回転方向に配向して形成されることができる。
【００１７】
また、本発明のまた一つの様態として、植物栽培用回転噴出式分水ホースは、一つの帯に複数の回転発生手段２００が一列で形成され、それぞれの回転発生手段２００の側部２１０の上面が前記ホース１００の内面に付着して形成されることができる。
【００１８】
この時、前記回転力付与路２１４に流入する水の水圧を調節するための一つ以上の屈曲経路を有する減圧部２５０をさらに含むことができる。
【００１９】
また、本発明のまた他の様態として、植物栽培用回転噴出式分水ホースは、円筒状のホース本体１０００と、前記ホース本体１０００の表面から外方に前記ホース本体１０００の長さ方向に沿って突出形成された突出リブ２０００とを含み、前記突出リブ２０００は、前記突出リブ２０００の長さ方向に沿って間隔をおいて噴出口１００２が形成された上部リブ２１００と、前記噴出口１００２に形成され、前記ホース本体１０００の内部空間１００４から外部空間１００６に噴出される水流に回転力を付与するための回転発生手段２２００とを含み、前記回転発生手段２２００は、前記噴出口１００２につながり、前記上部リブ２１００の内側に形成された筒状の回転空間２０１２を含み、前記回転空間２０１２は、前記上部リブ２１００の内壁から延長形成され、前記ホース本体１０００の内部空間１００４から流入した水を前記回転空間２０１２に伝達するための水平方向の通路である回転力付与路２０１４が形成された側部２２１０、及び前記側部２２１０の下端を閉鎖するための底部２２４０によって定義され、前記回転力付与路２０１４は、前記回転空間２０１２の中心部Ｐから離れた地点に向かうように配向され、前記回転力付与路２０１４を通じて前記回転空間２０１２に流入する水流に回転力を付与する。
【００２０】
ここで、前記回転発生手段２２００は、前記内部空間１００４から前記回転力付与路２０１４に流入する水をろ過するためのろ過孔２０２２が形成されたろ過部２０２０をさらに含むことができる。
【００２１】
また、前記回転発生手段２２００は、前記回転空間２０１２の中心部に対応する前記底部２２４０に上昇力強化突起がさらに形成され、前記回転空間２０１２で回転しながら前記噴出口１００２に上昇する水の上昇力をさらに強化させることができる。
【発明の効果】
【００２２】
このような本発明の植物栽培用回転噴出式分水ホースによると、噴出口に形成された回転発生手段により噴出口から噴出される水流に回転力が付与され、水が回転しながら広い領域に分散及び落下して植物を濡らすことができる。従って、噴出口の個数を最小化しながらも、用水の分散領域を最大化することができるため、それぞれの噴出口から噴出される水流の水圧を最大限均等に維持させることができる。また、水を回転させることで水粒子の直径を小さくて均等に形成しながら分散するため、植物または土壌に落下する際に水の荷重による衝撃を最小化しながら、植物の葉に均等に、かつ土壌が凹まないように灌水することができるという効果がある。
【図面の簡単な説明】
【００２３】
【図１】本発明の植物栽培用回転噴出式分水ホースの概念を概略的に示す一部が切開された斜視図である。
【図２】本発明の植物栽培用回転噴出式分水ホースの回転発生手段の構成を示す一例の平面図である。
【図３】本発明の一実施例による回転発生手段の回転空間の中心部に上昇力強化突起が形成された様子を示す断面図（ａ）及び斜視図（ｂ）である。
【図４】本発明の第１実施例によるチップ状の回転発生手段に対する二つの例を示す斜視図である。
【図５】図３（ａ）の回転発生手段が形成された噴水ホースの様子を示す部分切開図である。
【図６】本発明の第２実施例による帯状回転発生手段、及びこれを含む噴水ホースの様子を示す部分切開図である。
【図７】前記第２実施例により、パターン形成方式によって製造された帯状回転噴出式分水ホースの部分切開斜視図（ａ）、パターン形成された上段ホース部の展開された一部を示す部分切開斜視図（ｂ）、上段ホース部に底部材が付着した様子を示す部分切開斜視図（ｃ）である。
【図８】本発明の第２実施例により、成形帯接合方式によって製造された帯状回転噴出式分水ホースの部分切開斜視図（ａ）、成形帯（ｂ）の斜視図である。
【図９】本発明の第３実施例による回転発生手段を含む突出リブが形成された噴水ホースの一例を示す図面である。
【図１０】本発明の第４実施例による管状回転発生装置を含む噴水ホースの一例を示す図面である。
【図１１】従来の分水ホースから噴出される水流の様子である。
【図１２】本発明の分水ホースから噴出される水流の様子であり、図１２（ａ）は、回転力付与路が回転空間の中心部に近い地点に向かって配向された場合であり、図１２（ｂ）は、回転力付与路が回転空間の縁に近い地点に向かって配向された場合の様子である。
【図１３】本発明の分水ホースの噴出口の他の形態を示す例示図である。
【発明を実施するための形態】
【００２４】
以下では、添付の図面を参照して本発明の好ましい最良の実施例を詳しく説明する。本明細書及び特許請求の範囲に使用された用語や単語は、通常であるか辞典的意味に限定して解釈されず、本考案の技術的事項に符合する意味と概念で解釈されるべきである。
【００２５】
図１は、本発明の植物栽培用回転噴出式分水ホースの概念を概略的に示す一部の切開された斜視図であり、図２は、本発明の植物栽培用回転噴出式分水ホースの回転発生手段の構成を示す一例の平面図である。図１及び図２を参照すると、本発明の一実施例による植物栽培用回転噴出式分水ホースは、図１１で表現された一般的な従来の分水ホースと異なり、ホース１００の噴出口１０２に設置され、噴出口１０２から水が回転しながら噴出されるようにするための回転発生手段２００を含んで構成される。
【００２６】
即ち、前記回転発生手段２００は、ホース１００の長さ方向に沿って間隔をおいて形成された噴出口１０２に形成され、前記ホース１００の内部空間１０４から外部空間１０６に噴出される水流に回転力を付与する。前記ホース１００は、一般的な軟性ゴム材質の合成樹脂のように、ホースの内部空間に用水が満たされれば、膨張して断面が円形に形成可能な軟性のある多様な材料で製造されることができ、噴水ホースとして機能を適切に行うために、膨張時に直径は約３０〜５０ｍｍ程度が好ましい。
【００２７】
具体的に、前記回転発生手段２００は、前記噴出口１０２につながり、ホース１００の内側に形成された筒状の回転空間２１２を含んで構成され、ホース１００の内部空間１０４から回転空間２１２に流入する水に回転流を発生させる。前記回転空間２１２は、回転空間２１２の中心部Ｐに対して一定の回転流を発生させるために、概略的に円筒状に構成されることが好ましいが、必要に応じて、円筒以外に他の形態の様子をとってもよい。但し、水の回転的な流れを妨害する特別な突起や凹凸状は含まれないことが好ましい。
【００２８】
そして、前記回転空間２１２は、流入する水に回転力が付与されて回転流が形成される空間であり、基本的に側部２１０及び側部２１０の下端を閉鎖するための底部２４０によってその外形及びサイズが決まる。図面に側部２１０と底部２４０の境界Ｓが点線で表示されている。
【００２９】
前記側部２１０は、前記ホース１００の内壁からホース１００の中心部Ｐに延長形成され、前記ホース１００の内部空間１０４から前記回転空間２１２に連結された水平方向の通路である回転力付与路２１４が形成される。側部２１０の内面の形状は、図２に示すように、回転空間２１２の外面の形状を定義する。図２において、Ｐを取り囲む点線の円１０２Ｂは、噴出口１０２の縁の位置を示す。
【００３０】
また、回転力付与路２１４は、水流を特定方向に導いて一定に維持させるように、直線的または曲線的形態の一定の長さと一定の幅を有するように形成される必要がある。回転力付与路２１４が曲線的形態を有する場合、図示していないが、水の回転方向と一致するように曲線形態をなすことが回転力を極大化する効果を提供することができる。
【００３１】
回転力付与路２１４の適正長さの形成のために、側部２１０の少なくとも一部の領域は、十分な長さの回転力付与路２１４が形成可能な程度の厚さを有するか、外殻に突出形成されなければならず、回転力付与路２１４の幅は、ホース１００の幅や長さ、ホースに流入する水圧の強さなどを考慮して定めることができ、それにより、噴出口１０２から噴出される落水の水圧の強さ及び分散範囲を決定することができる。
【００３２】
そして、本発明の主要な構成として、前記側部２１０の前記回転力付与路２１４は、前記回転空間２１２の中心部Ｐから離れた地点に向かうように配向される。従って、前記回転力付与路２１４を通じて前記回転空間２１２に流入する水流に回転力を付与することで、前記噴出口１０２を通じて噴出される水が回転しながら十分に分散するように構成される。回転空間２１２は、前述したように、一定の高さを有する筒状で構成されるため、回転空間２１２の中心部から離れた地点に向かって進行する水は、排出口１０２の下に対応する中心部に対して回転しながら動く。
【００３３】
このような水の回転力は、回転力付与路２１４の配向が中心部から離れた程度に比例するが、回転力を極大化することができる好ましい例として、回転空間２１２の縁に接する方向に回転力付与路２１４が形成されれば、回転力付与路２１４を通じて直線的または曲線的に流入する水流が回転空間２１２に入った後、回転空間２１２を定義する側部２１０の内壁と衝突しながら流入する地点の反対側への方向性を有して回転し、次に、回転空間２１２の中心部上端に位置する噴出口１０２を通じて回転しながら噴出される。噴出口１０２を通じて噴出される水は、回転慣性により、噴出口１０２から離れても一定の回転状態を維持し、このような回転は、噴出する水を分散させて、回転せず噴出する場合より非常に広い領域に分散されて落下する。また、噴出する水の回転は、水粒子のサイズを均一でかつ微細に形成させる。従って、本発明による分水ホースによると、水の分散範囲が拡張される効果の他に、水の直径が非常に小さい微細な粒子で形成されて植物を灌水する効果を提供することができる。
【００３４】
前記回転力付与路２１４は、回転空間の中心に対して（好ましくは、対称的に）２つ以上が形成されることができる。回転力付与路２１４が単一に形成される場合、その配向が回転空間の中心部から離れた距離によって回転空間に流入した水の回転力が変わる水の回転、及びこれによる分散効果が発生するが、回転力付与路２１４が２つ以上形成される場合は、回転空間に流入する２つ以上の水流間の衝突による分散効果がさらに発生する。このような水の回転による分散効果と衝突による分散効果の程度によって、噴出口を通じて噴出される水の噴出様相が変わることができる。
【００３５】
また、後述する実施例による図面に示すように、前記回転発生手段２００は、前記内部空間１０４から前記回転力付与路２１４に流入する水をろ過するためのろ過孔２２２が形成されたろ過部２２０をさらに含むことができる。側部２１０とろ過部２２０との間隔は、噴出される水の水圧などを考慮して適切に決定されることができる。ろ過部２２０は、底部２４０からろ過孔２２２を形成するための多数の突起が一定の形態で上部に延長して構成されることができ、ろ過孔２２２を通じて水がろ過されて回転空間２１２に流入することができる。
【００３６】
また、図３に示すように、本発明の実施例において、前記回転発生手段２００は、前記回転空間２１２の中心部に対応する前記底部２４０に上昇力強化突起２３０がさらに形成されて、前記回転空間２１２で回転しながら前記噴出口１０２に上昇する水の上昇力をさらに強化させることができる。好ましくは、前記上昇力強化突起２３０は、上部の方に幅が狭くなるテーパ状で構成されることができる。従って、回転空間２１２で回転する水がより迅速に噴出口１０２に向かって上昇しながら噴出されることができる。噴出口１０２を通過した水は、依然として回転力を維持して広い空間に分散されながら落下する。
【００３７】
図４は、本発明の第１実施例によるチップ状の回転発生手段に対する二つの例を示す斜視図であり、図５は、図４（ａ）の回転発生手段が形成された噴水ホースの様子を示す部分切開図として、図５（ａ）は、回転発生手段が形成された様子を示すために該当部分をさらに切開した切開図であり、図５（ｂ）は、ホースを横方向だけに切開した切開図である。図４及び図５に示すように、本発明の一つの様態として、植物栽培用回転噴出式分水ホースにおいて、前記回転発生手段２００は、様々な外郭状を有するチップ状で形成されて、前記噴出口１０２毎に前記ホース１００の内面に付着することができる。図４（ａ）は、円形の外郭形態を有する例であり、図４（ｂ）は、４角形の外郭形態を有する例を示す。外殻形態は、付加的に構成されるろ過部２２０の形態を異ならせて構成する。
【００３８】
このように、回転発生手段２００をチップ状で構成する場合、射出により回転空間のサイズや形、回転力付与路２１４の幅や長さ、ろ過部の厚さやろ過孔の幅などの構成要素の形態とサイズが均一な複数のチップを先ず製作して、ホース１００の製造過程中に製作されたチップをホース１００の内壁に一定の間隔で付着して製造されることができる。噴出口１０２は、チップをホース１００に付着する前または後に形成することが可能であるが、製造の便宜上、チップの付着後に回転空間２１２の中心部の上段に対応するホース１００の外面を順に打ち抜きして噴出口１０２を形成することが好ましい。
【００３９】
また、本実施例において、前記回転力付与路２１４は、一つだけで構成しても、その配向により回転空間２１２に流入する水に回転力を付与することができるが、好ましくは、回転空間２１２の中心に対して互いに同一の回転方向に配向して形成された２つ以上の回転力付与路２１４を形成することが、回転空間２１２で循環する水流が回転空間２１２の中心部に方向性を持って収束されるようにして、回転力をさらに強化させることができる。回転力付与路の個数は、回転発生手段の実施形態によって適切に選択することができる。
【００４０】
前記第１実施例において、好ましい一例として、回転力付与路２１４が３つで構成された円形チップ状の回転発生手段２００が図４（ａ）に示されており、さらに好ましい他の例として、回転力付与路２１４が２つで構成された四角チップ状の回転発生手段２００が図４（ｂ）に示されている。図４（ａ）に示すように、外殻形態が円形で構成されたチップ状の回転発生手段２００の場合、回転力付与路２１４の個数を３個以上に対称的に構成することが容易である。
【００４１】
このように回転力付与路２１４が２つ以上で構成される場合、その配向が回転空間２１２の中心に近い地点に向かう場合は、たとえ方向が互いにずれた場合でも、回転力付与路２１４を通じて回転空間２１２に流入する水流間に衝突現象が生じる。この場合、回転による水の分散効果の他に、２つ以上の水流間の衝突による水の分散効果も共に発生することができる。このように、回転空間２１２内で回転及び衝突が同時に起こる場合の水の噴出様子は、図１２（ａ）に示し、主に回転が支配する場合の水の噴出様子は、図１２（ｂ）に示す。噴出される様子が互いに異なって見えるが、両者とも分散される範囲の面では、ほぼ類似した様相を有する。従って、回転力付与路２１４が単一に構成される場合と異なり、２つ以上で構成される場合は、回転力付与路２１４の配向の重要性が多少低いこともある。
【００４２】
図６は、本発明の第２実施例による帯状の回転発生手段、及びこれを含む噴水ホースの様子を示す部分切開図である。図６に示すように、本発明のさらに一つの様態として、植物栽培用回転噴出式分水ホースは、一つの帯に複数の回転発生手段２００が一列で形成され、それぞれの回転発生手段２００の側部２１０の上面が前記ホース１００の内面に付着して形成されることができる。
【００４３】
この時、図７（ｂ）に示すように、前記回転力付与路２１４に流入する水の水圧を調節するための一つ以上の屈曲経路２５７を有する減圧部２５０をさらに含むことができる。減圧部２５０の屈曲経路は、前記屈曲経路に沿って回転力付与路２１４の外周末端につながり形成された減圧壁２５５によって定義される。図面では、減圧経路２５７の屈曲個数が一つである例が示されているが、所望の灌水特性のために、２つ以上の屈曲を形成してもよく、屈曲の形態や模様も多様に構成してもよい。
【００４４】
前記第２実施例の噴水ホースが減圧部２５０を含む場合、図７（ｂ）に示すように、ろ過部２２０は、減圧部２５０の外方に位置するように構成され、ホース１００の内部空間１０４から減圧部２５０に流入する水をろ過することができる。
【００４５】
第２実施例において、ろ過部２２０は、回転空間２１２を囲む形態で構成される第１実施例とは異なり、主に２列のライン状で構成されて、流入する水をろ過することができるが、両ライン間の距離が大きければ、軟性材質のホースが崩れて水流を遮断させる可能性がある。これを防止するために、２列のライン間に長さ方向に骨格維持用リブ２２５を形成して、流入空間の高さを十分に高く維持して、水流を円滑にすることができる。
【００４６】
このような第２実施例による植物栽培用分水ホースは、多様な製造過程によって製造されることができるが、二つの例として、図７に示す帯パターン方式、及び図８に示す成形帯接合方式によって製造されることができる。
【００４７】
先ず、図７は、第２実施例のうちパターン形成方式によって製造された帯状回転発生部２００を含む植物栽培用分水ホースの部分切開斜視図（ａ）、パターン形成された上段ホース部の切開された一部を示す部分切開斜視図（ｂ）、上段ホース部に底部材が付着した様子を示す部分切開斜視図（ｃ）である。
【００４８】
上段ホース部１００Ａが形成される合成樹脂フィルムの一面に、前述した回転発生部２００を構成する側部２１７、減圧壁２５５、及びろ過孔２２２を形成するためのろ過突起２２７が突出した一定のパターンが形成されるようにする。これらの突出パターンは、従来の多様なパターン形成装置によって形成されることができる。図７（ｂ）に、このような突出パターンが形成された様子が示されている。図面において、回転空間２１２の中心部に噴出口１０２が形成されているが、パターンが形成された後に打ち抜き方式で形成されることができる。図８を参照して、後述する成形帯接合方式と異なり、パターン形成後にパターンを基準として打ち抜きすることができるため、さらに正確な位置に打ち抜き可能な長所がある。
【００４９】
次に、図７（ｃ）に示すように、突出パターンの上面を製造した後、底部２４０に該当する帯部材で覆い上段ホース部１００Ａを完成する。最後に、パターンが形成された上段ホース部１００Ａと何らのパターンも無い下段ホース部１００Ｂとを互いに融着して、図７（ａ）のような本考案の一実施例による分水ホースを製造する。
【００５０】
次に、図８は、本考案の他の一実施例による成形帯接合方式によって製造された帯状回転発生手段を含む植物栽培用分水ホースの部分切開斜視図（ａ）、回転発生手段を含む成形帯（ｂ）の斜視図である。成形帯接合方式による分水ホースの製造は、先ず、図８（ｂ）に示すように、回転発生手段２００を構成可能な側部２１７、減圧壁２５５、及びろ過突起２２７などの全ての構成要素を含む一つの成形帯を射出などの一般的な整形方式によって製造する。但し、減圧部２５０の形成のための減圧壁２５５やろ過部２２０の形成のためのろ過突起２２７は、本発明で重要な構成要素ではないため、これを省略した形態で成形帯が製造されることができる。
【００５１】
この時、前記構成要素は、一つの底部２４０上に形成されるように製造され、連続的につながった一つの帯の形態となる。次に、このように製造された成形帯を溶融押出して円筒状のホースに形成される際に、ホースの内側に押し込みホースの一面に接合する方式で製造されることができる。この場合、成形帯がホースの内面に付着して排出され、冷却された後、打ち抜きにより回転空間の中心に排出口１０２を形成する。図８（ｂ）において、排出口１０２に対応する成形帯の位置を点線の円１０２’で示している。
【００５２】
図９は、本発明の第３実施例による回転発生手段を含む突出リブが形成された噴水ホースの一例を示す図面である。図９に示すように、本発明のまた他の様態として、植物栽培用回転噴出式分水ホースは、円筒状のホース本体１０００、及び前記ホース本体１０００の表面から外方に前記ホース本体１０００の長さ方向に沿って突出形成された突出リブ２０００を含む。
【００５３】
前記突出リブ２０００は、ホース本体１０００の長さ方向に沿って一側または両側に形成されることができる。図７に示すように、ホース本体が上段ホース部と下段ホース部との縁に形成された融着突起の相互融着により形成される場合は、ホース本体の両側に突出リブが形成されることができる。
【００５４】
そして、前記突出リブ２０００は、前記突出リブ２０００の長さ方向に沿って間隔をおいて噴出口１００２が形成された上部リブ２１００、及び前記噴出口１００２に形成され、前記ホース本体１０００の内部空間１００４から外部空間１００６に噴出される水流に回転力を付与するための回転発生手段２２００を含む。突出リブ２０００がホース本体１０００の外面に２列以上で構成される場合は、その中で少なくとも一つの列に回転発生手段２２００が形成されることができる。
【００５５】
そして、前記回転発生手段２２００は、前記噴出口１００２につながり、前記上部リブ２１００の内側に形成された筒状の回転空間２０１２を含み、前記回転空間２０１２は、前記上部リブ２１００の内壁から延長形成され、前記ホース本体１０００の内部空間１００４から流入する水を前記回転空間２０１２に伝達するための水平方向の通路である回転力付与路２０１４が形成された側部２２１０、及び前記側部２２１０の下端を閉鎖するための底部２２４０によって定義されることは、前述した実施例と同様である。
【００５６】
そして、前記回転力付与路２０１４は、前記回転空間２０１２の中心部Ｐから離れた地点に向かうように配向され、前記回転力付与路２０１４を通じて前記回転空間２０１２に流入する水流に回転力を付与するが、前述した実施例と同一のメカニズムである。
【００５７】
ここで、前記回転発生手段２２００が前記内部空間１００４から前記回転力付与路２０１４に流入する水をろ過するためのろ過孔２０２２が形成されたろ過部２０２０をさらに含むことができ、前記回転発生手段２２００が前記回転空間２０１２の中心部に対応する前記底部２２４０に上昇力強化突起がさらに形成され、前記回転空間２０１２で回転しながら前記噴出口１００２に上昇する水の上昇力をさらに強化可能な構成も、前述した実施例で説明したため、ここでは説明を省略する。
【００５８】
図１０は、本発明の第４実施例による管状回転発生装置を含む植物栽培用分水ホースの一例を示す図面である。図１０を参照すると、管状回転発生装置３０００は、管体で構成され、管体の外面に回転発生手段を含み、回転発生手段は、ホースの内部空間から外部空間に噴出される水流に回転力を付与する。回転発生手段は、噴出口１０１２の下でホース１０１０の内側に形成された一定の高さを有する回転空間３０１２、及びホース１０１０の内部空間から流入した水を回転空間３０１２に水平的に進行させるための水平方向の通路である回転力付与路３０１４が形成された仕切り壁３０１０を含む。そして、回転力付与路３０１４は、回転空間３０１２の中心から離隔した地点に向かうように配向され、回転力付与路３０１４を通じて回転空間３０１２に流入する水に回転力を発生させて、噴出口１０１２に噴出されるように構成される。
【００５９】
また、回転発生装置３０００は、回転発生手段の両側に流入孔３００８が形成された延長部３００２をさらに含むことができ、流入孔３００８を通じてホースの内部空間から流入した水が回転空間３０１２に流入することができる。延長部３００２の端には、管体をホースの内側に固定するための固定用突起部３００６が管体の外周面にリング状で形成されることができる。
【００６０】
また、前記延長部３００２には、流入孔３００８の詰めを防止するための詰まり防止部３００４がリング状で管の外面にさらに形成されることができる。管体をホースの内面にさらに強く密着固定するために、延長部３００２の長さが長くなる場合、回転発生手段の仕切り壁３０１０と固定用突起３００６との間の距離が長くなり、その上を覆うホースが下に崩れたりホースの外部に膨張して、流入孔３００８の役割を適切に行えないことがあるが、詰まり防止部３００４によってこのような問題を防止することができる。
【００６１】
また、回転発生装置３０００は、回転発生手段の一側または両側に形成された回転力付与路３０１４の入口側に複数のろ過壁３０２０がさらに形成されることができる。従って、水は、ろ過壁３０２０間のろ過孔３０２２を通じてろ過されて、回転空間３０１２に流入することができる。
【００６２】
また、上述した本発明の説明において、噴出口１０２に繋がる回転発生装置２００が、図１では、ホース１００の内面に付着する形態で構成されているが、本発明は、これに限定されるものではなく、（現実的な製作の便宜を考慮しなければ）ホースと一体で形成されることもできる。そして、回転発生装置２００の回転空間２１２をホース１００が覆う形態で表現されているが、代わりに、図１３に示すように、回転発生装置２００に通過孔が形成された蓋部２８０を形成して、蓋部２８０がホース１００の表面に露出されるようにして、通過孔を通じて回転空間で回転された水が直接外部に噴出されることができるように構成することもできる。この時、通過孔が前述した噴出口１０２に対応してその役割を行う。
【００６３】
以上、本発明の好ましい実施例について図示して説明したが、本発明は、上述した特定の実施例に限定されず、特許請求の範囲で請求する本発明の要旨から外れることなく、本発明が属する技術分野で通常の知識を有する者によって多様な変形実施が可能である。また、添付の図面から容易に類推することができる事項は、詳細な説明に記載せずとも本発明の内容に含まれるとみるべきであり、多様な変形実施は、本発明の技術的思想や見通しから個別的に理解されてはならない。
【図１】
0006648381.tif 000002
【図２】
0006648381.tif 000003
【図３（ａ）】
0006648381.tif 000004
【図３（ｂ）】
0006648381.tif 000005
【図４（ａ）】
0006648381.tif 000006
【図４（ｂ）】
0006648381.tif 000007
【図５（ａ）】
0006648381.tif 000008
【図５（ｂ）】
0006648381.tif 000009
【図６】
0006648381.tif 000010
【図７（ａ）】
0006648381.tif 000011
【図７（ｂ）】
0006648381.tif 000012
【図７（ｃ）】
0006648381.tif 000013
【図８（ａ）】
0006648381.tif 000014
【図８（ｂ）】
0006648381.tif 000015
【図９（ａ）】
0006648381.tif 000016
【図９（ｂ）】
0006648381.tif 000017
【図１０】
0006648381.tif 000018
【図１１】
0006648381.tif 000019
【図１２（ａ）】
0006648381.tif 000020
【図１２（ｂ）】
0006648381.tif 000021
【図１３】
0006648381.tif 000022